(57)【要約】【課題】  噴孔が配置された噴孔プレートを有するものであって、噴霧形状の形成のための噴孔の加工コストの低減を図るとともに、燃料噴霧の微粒化向上が可能な燃料噴射弁を提供する。【解決手段】  内周面１３に弁座１４を有する弁ボディ１２と、弁座１４に対し燃料流れの下流側に設けられ、燃料を噴射する噴孔２１ａ〜２１ｆを有する噴孔プレート２０と、弁座１４に着座することで噴孔２１ａ〜２１ｆからの燃料噴射を遮断し、弁座１４から離座することで噴孔２１ａ〜２１ｆからの燃料噴射を許容する弁部材３０とを備え、噴孔２１ａ〜２１ｆの燃料流れの下流側には、噴孔２１ａ〜２１ｆから噴射された燃料噴流を略液膜状体に形成するガイド部材２３が設けられている。【選択図】  図１
2005098231.tif 000002
【特許請求の範囲】
【請求項１】
内周面に弁座を有する弁ボディと、
前記弁座に対し燃料流れの下流側に設けられ、燃料を噴射する噴孔を有する噴孔プレートと、
前記弁座に着座することで前記噴孔からの燃料噴射を遮断し、前記弁座から離座することで前記噴孔からの燃料噴射を許容する弁部材とを備え、
前記噴孔の燃料流れの下流側には、前記噴孔から噴射された燃料噴流を略液膜状体に形成するガイド部材が設けられていることを特徴とする燃料噴射弁。
【請求項２】
前記ガイド部材は、前記燃料噴流を外周面に沿って誘導可能な末広がり形状に形成されていることを特徴とする請求項１に記載の燃料噴射弁。
【請求項３】
前記噴孔は、複数個設けられており、前記噴孔プレートの所定の円内において、ほぼ等間隔配置されていることを特徴とする請求項１または請求項２に記載の燃料噴射弁。
【請求項４】
前記噴孔の形状は、軸方向にストレート状の円筒であることを特徴とする請求項１から請求項３のいずれか一項に記載の燃料噴射弁。
【請求項５】
前記噴孔の形状は、スリット状の長孔であることを特徴とする請求項１または請求項２に記載の燃料噴射弁。
【請求項６】
前記ガイド部材は、前記噴孔プレートの燃料出口面側に設けられていることを特徴とする請求項１から請求項５のいずれか一項に記載の燃料噴射弁。
【請求項７】
燃料を噴射するための燃料噴射弁において、
前記燃料噴射弁の先端に設けられ、燃料を噴射するための噴孔が形成された噴孔プレートと、
前記噴孔の燃料流れの下流側に設けられ、前記噴孔から噴射された燃料噴流を外周面に沿って誘導して略液膜状体に形成する液膜形成手段とを備えていることを特徴とする燃料噴射弁。
【発明の詳細な説明】
【技術分野】
【０００１】
本発明は、燃料噴射弁に関し、例えば内燃機関の燃焼室に燃料を噴射供給する燃料噴射弁に適用して好適なものである。
【背景技術】
【０００２】
燃料噴射弁としては、例えば内燃機関の燃焼室に直接あるいは間接的に燃料噴射する燃料噴射弁が知られている。この種の燃料噴射弁から供給された燃料は、燃焼室あるいは吸気管において空気と混合され、燃焼室内に可燃混合気を形成する。燃焼室内の可燃混合気はピストン運動により圧縮された後、点火装置により着火燃焼し、内燃機関の動力として利用されている。
【０００３】
近年車両の排気ガス規制が強化されている。排気ガス中に含まれる有害成分を低減するために、燃料噴射弁から噴射される燃料噴霧を微粒化することが重要となっている。
【０００４】
特許文献１および特許文献２は、燃料噴射弁の先端に設けられた複数の微細な噴孔を有する噴孔プレート（オリフィスプレートとも呼ばれる）を開示している。これらの従来技術によると、噴孔プレートに形成された噴孔から燃料は噴射され、微粒化される。
【特許文献１】特開平９−１４０９０号公報
【特許文献２】特開平１１−７０３４７号公報
【発明の開示】
【発明が解決しようとする課題】
【０００５】
上記従来技術は、例えば中空円錐状等の液膜状体の噴霧形状等の燃料噴霧の形状によっては、各噴孔（噴孔軸）の加工方向を噴孔毎に異なるようにする必要があるため（図８参照）、特に噴孔数が多い場合には膨大な加工消費時間が掛かってしまい、製造コストの増加要因となっていった。
【０００６】
また、最近の国内外の排気ガス規制が更に強化されるに伴い更なる燃料の微粒化向上の要求がある。従来技術の微粒化程度では、法規制を通らなくなってきている。
【０００７】
本発明は、このような事情を考慮してなされたものであり、その目的は、噴孔が配置された噴孔プレートを有するものであって、噴霧形状の形成のための噴孔の加工コストの低減を図るとともに、燃料噴霧の微粒化向上が可能な燃料噴射弁を提供することにある。
【課題を解決するための手段】
【０００８】
本発明の請求項１によると、内周面に弁座を有する弁ボディと、弁座に対し燃料流れの下流側に設けられ、燃料を噴射する噴孔を有する噴孔プレートと、弁座に着座することで噴孔からの燃料噴射を遮断し、弁座から離座することで噴孔からの燃料噴射を許容する弁部材とを備え、噴孔の燃料流れの下流側には、噴孔から噴射された燃料噴流を略液膜状体に形成するガイド部材が設けられていることを特徴とする。
【０００９】
これによると、弁ボディの先端側に噴孔を有する噴孔プレートが設けられている。噴孔プレートに形成された噴孔の燃料流れの下流側には、各噴孔から噴射された燃料噴流を例えば略中空円錐状の液膜状体に形成するガイド部材が設けられている。したがって、従来技術のように各噴孔毎に噴孔軸方向を変えて加工することなく、噴孔から噴射された燃料噴流を沿わせて液膜状体に噴霧形状を形成できる。
【００１０】
さらに、従来技術では、各噴孔から噴射した燃料噴流はそれぞれ筋状に広がり、全体としてほぼ液膜状にみえる程度であったのに比べて、本発明の請求項１の燃料噴射弁では、ガイド部材によって液膜状体の燃料噴霧に形成するので、空気との接触面積の拡大が図れ、よって燃料の微粒化が促進された噴霧となる。
【００１１】
本発明の請求項２によると、ガイド部材は、燃料噴流を外周面に沿って誘導可能な末広がり形状に形成されていることを特徴とする。
【００１２】
これによると、ガイド部材の外周面は、各噴孔からの燃料噴流を沿わせて誘導することが可能な末広がり形状に形成されているため、略中空円錐状等の液膜状体の燃料噴霧に形成することができる。
【００１３】
なお、液膜状体は、空気との接触面積拡大が図れる形状であれば、略中空円錐状に限らず、略中空楕円錘状、あるいは略中空長円錘状等であってもよい。
【００１４】
本発明の請求項３によると、噴孔は、複数個設けられており、噴孔プレートの所定の円内において、ほぼ等間隔配置されていることを特徴とする。
【００１５】
従来技術では、均質な液膜状体を形成するためには、噴孔間の間隔が狭くなり、噴孔プレートにおける燃料噴射圧力に対する強度が低下するおそれがあった。これに対して本発明の請求項３の燃料噴射弁では、噴孔プレート上に所定の円内において噴孔をほぼ等間隔配置するため、噴孔プレートの燃料噴射圧力に対する強度低下を回避することができる。そのため、微粒化の促進を図るための液膜状体の噴霧を形成することができるとともに、噴孔プレートに噴孔を形成する際の製造コストの低減と強度確保とが図れる。
【００１６】
本発明の請求項４によると、噴孔の形状は、軸方向にストレート状の円筒であることを特徴とする。
【００１７】
これによると、微粒化を促進するための燃料噴霧を形成するのに、噴孔プレートに形成する噴孔形状は、軸方向にストレート状の円筒であればよいので、噴孔プレートに噴孔を加工する加工コストつまり製造コストの低減が図れる。
【００１８】
本発明の請求項５によると、噴孔の形状は、スリット状の長孔であることを特徴とする。
【００１９】
これによると、噴孔形状は、ストレート状の円筒等の円、楕円等に限らず、スリット状の長孔であってもよい。ストレート状の円筒等の丸孔、主流が確定しにくい長孔いずれの孔形状であっても、ガイド部材によって液膜状体に燃料噴霧を形成できる。
【００２０】
本発明の請求項６によると、ガイド部材は、噴孔プレートの燃料出口面側に設けられていることを特徴とする。
【００２１】
これによると、ガイド部材が噴孔プレートの燃料出口側に設けられているものに適用して好適である。例えば、ガイド部材は噴孔プレートに一体的に形成され、また接合することで形成される。
【００２２】
本発明の請求項７によると、燃料を噴射するための燃料噴射弁において、燃料噴射弁の先端に設けられ、燃料を噴射するための噴孔が形成された噴孔プレートと、
噴孔の燃料流れの下流側に設けられ、噴孔から噴射された燃料噴流を外周面に沿って誘導して略液膜状体に形成する液膜形成手段とを備えている。
【００２３】
これによると、燃料噴射弁の先端側に噴孔を有する噴孔プレートが設けられている。噴孔プレートに形成された噴孔の燃料流れの下流側には、各噴孔から噴射された燃料噴流を例えば略中空円錐状の液膜状体に形成する液膜形成手段が設けられている。したがって、従来技術のように各噴孔毎に異なる加工による加工コスト増加を招くことなく、噴孔の下流側に設けた液膜形成手段によって液膜状体に噴霧形状を形成することができる。
【発明を実施するための最良の形態】
【００２４】
以下、本発明の燃料噴射弁を、内燃機関の燃焼室に燃料を直接噴射供給する燃料噴射弁に適用して、具体化した実施形態を図面に従って説明する。
【００２５】
（第１の実施形態）
図１は、本実施形態に係わる噴孔プレート周りを示す模式的部分断面図である。図２は、本実施形態の燃料噴射弁を示す断面図である。図３は、図１中のガイド部材および噴孔プレートを下方向からみた部分平面図である。図４は、本実施形態に係わる噴孔プレートおよびガイド部材を示す斜視図である。
【００２６】
燃料噴射弁（以下、インジェクタと呼ぶ）１０は、図示しないエンジンのシリンダヘッドに取付けられている。具体的には図示しない燃焼室はシリンダブロック（図示せず）の内周面と、シリンダヘッドの内周面と、ピストン（図示せず）の上端面とで区画されており、燃焼室臨んだ略中央上部位置にインジェクタ１０が配置され、燃焼室に直接燃料を噴射するものである。インジェクタ１０の噴射圧力は、１ＭＰａから３０ＭＰａの範囲内の所定の燃料噴射圧である。インジェクタ１０から燃焼室内に噴射する燃料噴霧は、略中空円錐状の噴霧である。この噴霧は、図２に示すインジェクタ１０の弁部材３０が弁座１４に着座する方向に沿ったインジェクタ１０の中心軸線（以下、軸線と呼ぶ）１０８から噴射方向に向かうに従い離れ、軸線１０８を中心とする略中空円錐状等の薄液膜状体に形成されている。なお、薄液膜状体は、噴孔プレート２０に配置された複数の噴孔２１から噴射された噴流群によって形成されている。
【００２７】
図２に示すように、弁ボディ１２は弁ハウジング１６の燃料噴射側端部の内壁に溶接により固定されている。弁ボディ１２は燃料流れ方向の噴孔プレート２０側に向けて縮径する内周面としての円錐面１３を有している。円錐面１３には、円錐面１３には弁部材としてのノズルニードル３０が離座および着座可能である。なお、ここで、円錐面１３は、ノズルニードル３０が離座および着座可能な弁座１４を構成する。具体的には、弁座１４には、ノズルニードル３０の当接部３１が離座、着座する。
【００２８】
噴孔プレート２０は略有底筒状に形成されており、弁ハウジング１６の底部の内壁と弁ボディ１２の底部の内壁との間に挟持されている。噴孔プレート２０には、図１および図３に示すように、複数（本実施例では、図３に示す６個）の噴孔２１ａ、２１ｂ、２１ｃ、２１ｄ、２１ｅ、２１ｆがほぼ等間隔に配置されている。具体的には６個の噴孔２１ａ〜２１ｆは、噴孔プレート２０の中心軸９０を中心として略円周上に並ぶように配置されている。なお、複数の噴孔配置としては、中心軸９０を中心として内側円周と外側円周に、それぞれ周方向に横並びする噴孔同士の間隔が略等間隔に配置されるものであってもよい。
【００２９】
６個の噴孔２１ａ〜２１ｆは、要求される燃料の噴霧の形状、方向、数などに応じて、その大きさ、噴孔配列等が決定される。また、噴孔の開口面積は、開弁時の流量を規定する。したがって、インジェクタ１０の燃料噴射量は、噴孔の開口面積と、開弁期間とによって計量される。なお、以下本実施形態で説明する噴孔２１ａ〜２１ｆの形状は、噴孔径が一定のストレート孔（ストレート状の円筒）とする。なお、噴孔形状は、ストレート状の円筒に限らず、噴射方向に先細のテーパ状の円筒、あるいは先太のテーパ状の円筒等の円筒状であってもよい。噴孔２１ａ〜２１ｆは、プレス加工、レーザ加工または放電加工により形成されている。
【００３０】
本実施形態では、図１に示すように、各噴孔２１ａ〜２１ｆは、各噴孔軸が軸方向に配置されている。具体的には噴孔プレート２０に各噴孔軸が直交して配置されている。噴孔２１ａ〜２１ｆの燃料流れの下流側には、ガイド部材２３が配置されている。このガイド部材２３は、各噴孔２１ａ〜２１ｆから噴射された燃料噴流が沿う外周面２４を有する。この外周面２４は、インジェクタ１０の弁部材３０が弁座１４に着座する方向に沿ったインジェクタ１０の中心軸線１０８から噴射方向に向かうに従い、ベルマウス状に広がっている。この外周面２４は燃料噴流をベルマウス状の表面を沿わせて誘導する機能を有する。外周面２４は、ベルマウス状に限らず、噴射方向に向かうに従い末広がり形状であるものであれば、円錐状、楕円錘状等のいずれの形状であってもよい。なお、ガイド部材２３は、略円錐台の形状である。ガイド部材２３の形状は、略円錐台に限らず、略楕円錘台等であってもよい。
【００３１】
図３に示すように、ガイド部材２３の外周面２４の最外周の大きさ（径）をφＤ２とすると、各噴孔２１ａ〜２１ｆを外接する外接円もしくは２１ａ〜２１ｆをほぼ等間隔配置する所定の円内φＤｓに対して、φＤ２＞φＤｓの関係にある。噴孔２１ａ〜２１ｆから鉛直下方に筋状に燃料噴流が噴出したとき、φＤ２＞φＤｓの関係にあるるため、燃料噴流は外周２４に沿って誘導される。ベルマウス状等の外周面２４に沿って滑らかに噴射方向を放射方向に変えられる。噴射方向を変えられた燃料噴流は、外周面２４の外周端から薄い液膜状に流出する。
【００３２】
なお、ここで、ガイド部材２３は、各噴孔２１ａ〜２１ｆから噴射された燃料噴流を外周面２４に沿って誘導して液膜状体に形成する液膜形成手段を構成する。
【００３３】
ノズルニードル３０が弁座１４に着座すると噴孔２１ａ〜２１ｊからの燃料噴射が遮断され、ノズルニードル３０が弁座１４から離座すると噴孔２１ａ〜２１ｊからの燃料噴射が許容され燃料が噴射される。
【００３４】
図１に示すように、ノズルニードル３０の先端部（詳しくは、噴孔プレート側の端面３２）は平坦である。噴孔プレート側の端面３２と噴孔プレート２０のノズルニードル側端面２６とで区画される燃料空間８０は扁平である。また、噴孔プレート２０の板厚をｔ、各噴孔の径をｄとすると、ｔ／ｄ≦１．５になるように設定されている。具体的には板厚ｔは、ｔ＝０．３〜０．５ｍｍの範囲内の所定の板厚である。
【００３５】
図２に示すように、筒部材４０は弁ハウジング１６の反噴孔側の内周壁に挿入され、溶接により弁ハウジング１６に固定されている。筒部材４０は、噴孔プレート２０側から第１磁性筒部４２、非磁性筒部４４、および第２磁性筒部４６により構成されている。非磁性筒部４４は第１磁性筒部４２と第２磁性筒部４６との磁気的短絡を防止する。この磁気的短絡防止により、コイル６０の通電により発生する電磁力による磁束を、アーマチャ５０と吸引部材５４に効率的に流れるようにしている。
【００３６】
可動コア（以下、アーマチャと呼ぶ）５０は磁性材料で略円筒状に形成されており、ノズルニードル３０の反噴孔側の端部３４と溶接により固定されている。アーマチャ５０はノズルニードル３０とともに往復移動する。アーマチャ５０の筒壁を貫通する流出孔５２は、アーマチャ５０の筒内外を連通する燃料通路を形成している。
【００３７】
固定コア（以下、吸引部材と呼ぶ）５４は磁性材料で略円筒状に形成されている。吸引部材５４は筒部材４０内に挿入されており、筒部材４０と溶接により固定されている。吸引部材５４はアーマチュア５０に対し反噴孔側に設置されアーマチャア５０に向きあっている。
【００３８】
アジャスティングパイプ５６は吸引部材５４の内周に圧力され、内部に燃料通路を形成している。スプリング５８は一端部でアジャスティングパイプ５６に係止され、他端部でアーマチャ５０に係止されている。アジャスティングパイプ５６の圧入量を調整することにより、アーマチャ５０に付勢するスプリング５８の荷重が変更される。スプリング５８の付勢力によりアーマチャ５０およびノズルニードル３０は弁座１４に向けて付勢されている。
【００３９】
コイル６０はスプール６２に巻回されている。ターミナル６５はコネクタ６４にインサート成形されており、コイル６０と電気的に接続している。コイル６０に通電すると、アーマチャ５０と吸引部材５４との間に磁気吸引力が働き、スプリング５８の付勢力に抗してアーマチャ５０は吸引部材５４側に吸引される。
【００４０】
フィルタ７０は吸引部材５４の燃料上流側に設置されており、インジェクタ１０に供給される燃料中の異物を除去する。吸引部材５４内にフィルタ７０を通して流入した燃料は、アジャスティングパイプ５６内の燃料通路、アーマチャ５０内の燃料通路、流出孔５２、弁ハウジング１６の内周壁とノズルニードル３０の外周壁との間を順次通過する。ノズルニードル３０が弁座１４との間に形成される開口流路を燃料が通過し噴孔２１ａ〜２１ｊに導かれる。
【００４１】
なお、ここで、弁ボディ１２とノズルニードル３０とは燃料噴射を断続する弁部を構成する。噴孔プレート２０は燃料を微粒化し、噴霧を形成する燃料噴霧形成手段を構成する。コイル６０とアーマチャ５０と吸引部材５４と筒部材４０とスプリング５８とは弁部を駆動する電磁駆動部を構成する。弁ボディ１２とノズルニードル３０の弁部構造は、弁ボディ１２がノズルニードル３０を往復移動可能に収容され、ノズルニードル３０が弁ボディ１２内で弁座１４に離座および着座するいわゆる内開弁である。
【００４２】
上述の構成を有するインジェクタ１０の作動について以下説明する。コイル６０に通電すると、コイル６０には電磁力が生じる。したがって、アーマチャ５０は吸引部材５４に向けて引きつけられ、ノズルニードル３０が弁座１４から離座する。よって、インジェクタ１０は開弁し、燃料が噴孔２１ａ〜２１ｆを通して噴射される。
【００４３】
各噴孔２１ａ〜２１ｆから噴射された燃料（燃料噴流）は、図４の矢印で示されるように、鉛直下方に噴出する。噴出した燃料噴流は、ガイド部材２３の外周面２４に沿って略放射状に噴射方向の向きを変えられる。さらに、各燃料噴流は、外周面２４に沿いながら略扇状に複数（図４では模式的に３分流）の分流する。そして、各噴孔２１ａ〜２１ｆから噴射された燃料噴流は外周面２４に沿って分流化して薄液膜状に形成される。その結果、各噴孔２１ａ〜２１ｆから噴射された燃料噴流は、ガイド部材２３の外周面２４によって略液膜状体に形成できる。略中空円錐状の略液膜状体の噴霧が形成されると、噴霧は広げられ、空気との接触面積が増加する。さらに、燃料噴霧の横断面は、略全周にわたってほぼ均一に微粒化されている。
【００４４】
コイル６０への通電が停止されると、コイル６０に生じていた電磁力が消失する。ノズルニードル３０が、スプリング５８により弁座１４に向けて押付けられ、インジェクタ１０は閉弁し、燃料噴霧が遮断される。コイル６０への通電期間を調節することにより、インジェクタ１０から噴射される燃料噴霧の燃料噴射量が調節される。
【００４５】
次に、本実施形態の作用効果を説明すると、（１）噴孔プレート２０に形成された噴孔２１ａ〜２１ｆの燃料流れの下流側には、各噴孔２１ａ〜２１ｆから噴射された燃料噴流を略中空円錐状の液膜状体に形成するガイド部材が設けられている。したがって、従来技術（図８参照）のように各噴孔毎に噴孔軸方向を変えて加工することなく、噴孔２１ａ〜２１ｆから噴射された燃料噴流を沿わせて液膜状体に噴霧形状を形成できる。
【００４６】
（２）さらに、従来技術（図８参照）では、各噴孔から噴射した燃料噴流はそれぞれ筋状に広がり、全体としてほぼ液膜状にみえる程度であったのに比べて、本発明の燃料噴射弁１０では、ガイド部材２３によって略中空円錐状の液膜状体に燃料噴霧を形成するので、空気との接触面積の拡大が図れ、よって燃料の微粒化が促進された噴霧となる。
【００４７】
（３）ガイド部材２３の外周面２４は、各噴孔２１ａ〜２１ｆからの燃料噴流を沿わせて誘導することが可能な末広がり形状に形成されているため、略中空円錐状等の液膜状体の燃料噴霧に形成することができる。なお、液膜状体は、空気との接触面積拡大が図れる形状であれば、略中空円錐状に限らず、略中空楕円錘状、あるいは略中空長円錘状等であってもよい。
【００４８】
（４）噴孔２１ａ〜２１ｆの形状はストレート状の円筒であって、噴孔軸が噴孔プレートに直交する配置されている。そのため、微粒化を促進するための略中空円錐状等の液膜状体の燃料噴霧を形成するのに、軸方向にストレート状の円筒の噴孔２１ａ〜２１ｆを噴孔プレート２０に形成するだけでよいので、噴孔プレート２０に噴孔２１ａ〜２１ｆを加工する加工コストつまり製造コストの低減が図れる。
【００４９】
（５）ガイド部材２３は、噴孔プレート２０の燃料出口面２７（図１参照）側に設けられている。そのため、ガイド部材２３は噴孔プレート２０に一体的に形成され、また接合することで形成されることができる。
【００５０】
（６）なお、従来技術では、均質な液膜状体を形成しようとすると、筋状に噴射される燃料（燃料噴流）同士を近づけるために噴孔２１ａ〜２１ｆ間の間隔が狭くなって、噴孔プレート２０における燃料噴射圧力に対する強度が低下するおそれがあった。これに対して、本発明の燃料噴射弁では、複数の噴孔２１ａ〜２１ｆは噴孔プレート２０の所定の円（φＤｓ）内においてほぼ等間隔配置されている。そのため、噴孔２１ａ〜２１ｆ間の間隔が狭くなることを防止でき、よって噴孔プレート２０の燃料噴射圧力に対する強度低下を回避することができる。したがって、微粒化の促進を図るための液膜状体の噴霧を形成することができるとともに、噴孔プレート２０に噴孔２１ａ〜２１ｆを形成する際の製造コストの低減と強度確保とが図れる。
【００５１】
（第２の実施形態）
以下、本発明を適用した他の実施形態を説明する。なお、以下の実施形態においては、第１の実施形態と同じもしくは均等の構成には同一の符号を付し、説明を繰返さない。
【００５２】
第２の実施形態では、第１の実施形態で説明した噴孔２１ａ〜２１ｆが噴孔プレート２０に直交する直交配置されるものに代えて、図５および図６に示すように、噴孔１２１ａ〜１２１ｆが噴孔プレート２０に傾斜した傾斜配置されたものとする。図５は、本実施形態に係わるガイド部材および噴孔プレートを下方向からみた部分平面図である。図６は、本実施形態に係わる噴孔プレートおよびガイド部材を示す斜視図である。
【００５３】
図５に示すように、噴孔１２１ａ〜１２１ｆが噴孔プレート２０に傾斜して形成されている。なお、例えば噴孔１２１ａの燃料出口、燃料入口を、それぞれ１２１ａｏ、１２１ａｉで表すようにし、燃料出口を添え字としてｏ、燃料入口を添え字としてｉを追加するものとする。
ガイド部材２３の外周面２４の最外径をφＤ２とすると、各噴孔の燃料出口１２１ａｏ〜１２１ｆｏを外接する外接円もしくは１２１ａ〜１２１ｆをほぼ等間隔配置する所定の円内φＤｓに対して、φＤ２＞φＤｓの関係にある。
【００５４】
この様な構成であっても、各噴孔１２１ａ〜１２１ｆから噴射された燃料（燃料噴流）は、鉛直下方よりやや外側に傾斜して下方に噴出する。そして、φＤ２＞φＤｓの関係にあるため、燃料噴流は外周面２４に沿って誘導される。したがって、第１の実施形態と同様な効果が得られる。
【００５５】
（他の実施形態）
なお、上述した実施形態では、噴孔プレート２０に形成する噴孔２１ａ〜２１ｆの形状を、ストレート状の円筒等の丸孔で説明したが、図７に示すように、スリット状の長孔２２１ａ、２２１ｂ、２２１ｃであるものでもよい。図７は、他の実施形態に係わるガイド部材および噴孔プレートを下方向からみた部分平面図である。図７に示すように、長孔２２１ａ〜２２１ｃは、所定の円φＤｓ内にほぼ等間隔に配置されている。スリット状の長孔２２１ａ〜２２１ｃでは、ストレート状の円筒等の丸孔に比べて主流が確定しにくい。長孔２２１ａ〜２２１ｃから噴射された燃料（燃料噴流）は、鉛直下方へ噴出する。そして、主流が確定しにくい燃料噴流であっても、ガイド部材２３の外周面２４に沿うことで液膜状体を形成するように誘導される。したがって、第１の実施形態と同様な効果が得られる。
【００５６】
なお、以上説明した本実施形態では、インジェクタ１０を燃焼室に臨んだ略中央上部位置に配置する構成で説明したが、燃焼室に臨んだ外周側の上部位置であってもよい。
【００５７】
さらになお、以上説明した本実施形態では、燃焼室に直接燃料噴射するインジェクタ１０で説明したが、吸気管等に燃料噴射することで燃焼室に間接的に燃料噴射するインジェクタであってもよい。
【００５８】
なお、以上説明した本実施形態では、噴孔プレート２０には噴孔２１ａ〜２１ｆが６個設けられているものとして説明したが、ガイド部材（液膜形成手段）２３を有するものであれば、噴孔プレート２０に形成される噴孔は複数個に限らず、１個（単孔）であってもよい。
【図面の簡単な説明】
【００５９】
【図１】本発明の第１の実施形態に係わる噴孔プレート周りを示す模式的部分断面図である。
【図２】第１の実施形態の燃料噴射弁を示す断面図である。
【図３】図１中のガイド部材および噴孔プレートを下方向からみた部分平面図である。
【図４】第１の実施形態に係わる噴孔プレートおよびガイド部材を示す斜視図である。
【図５】第２の実施形態に係わるガイド部材および噴孔プレートを下方向からみた部分平面図である。
【図６】第２の実施形態に係わる噴孔プレートおよびガイド部材を示す斜視図である。
【図７】他の実施形態に係わるガイド部材および噴孔プレートを下方向からみた部分平面図である。
【図８】従来技術による噴孔プレートを示す斜視図である。
【符号の説明】
【００６０】
１０  インジェクタ（燃料噴射弁）
１２  弁ボディ
１３  円錐面（内周面）
１４  弁座
２０  噴孔プレート
２１ａ、２１ｂ、２１ｃ、２１ｄ、２１ｅ、２１ｆ  噴孔
２３  ガイド部材
２４  外周面
３０  ノズルニードル（弁部材）
９０  （噴孔プレートの）中心軸
１０８  （インジェクタの）中心軸
【図１】
2005098231.tif 000003
【図２】
2005098231.tif 000004
【図３】
2005098231.tif 000005
【図４】
2005098231.tif 000006
【図５】
2005098231.tif 000007
【図６】
2005098231.tif 000008
【図７】
2005098231.tif 000009
【図８】
2005098231.tif 000010